(57)【要約】【課題】ＰＣ橋を架設する際に用いられる仮設内ケーブルの緊張定着および解放撤去を簡易かつ安価に行えるようにする。【解決手段】上床版１２内に１対の仮設内ケーブル１４、１６を直列に配置し、その直列方向両側の各一端部１４ａ、１６ａを上床版１２の小口１２ａ、１２ｂに各々固定した後、一方の仮設内ケーブル１４の他端部１４ｂを上床版１２上へ曲げ上げて可動式の定着具２０に挿通固定するとともに、他方の仮設内ケーブル１６の他端部１６ｂを上床版１２上へ曲げ上げて定着具２０に挿通させ、この状態で仮設内ケーブル１６の他端部１６ｂを引き出すことにより両仮設内ケーブル１４、１６に緊張力を導入する。これにより、従来のように床版上にコンクリート製の定着用突起部を構築する必要をなくし、その配筋、打設およびはつり作業に伴う手間と費用を不要とする。また、両仮設内ケーブル１４、１６に対する緊張定着を一挙に行えるようにする。【選択図】　　　　　図１
2004068332.tif 000002
【特許請求の範囲】
【請求項１】
架設途中のＰＣ橋の床版内に仮設内ケーブルを配置するとともに、この仮設内ケーブルの一端部を上記床版の小口に固定した後、この仮設内ケーブルに緊張力を導入して該仮設内ケーブルの他端部を上記床版の所定位置に定着する、仮設内ケーブルの緊張定着方法において、
上記床版内に第１および第２の仮設内ケーブルを直列に配置するとともに、これら各仮設内ケーブルにおける直列方向両側の一端部を上記床版の小口に各々固定した後、上記第１の仮設内ケーブルの他端部を上記床版上へ曲げ上げて可動式の定着具に挿通固定するとともに上記第２の仮設内ケーブルの他端部を上記床版上へ曲げ上げて上記定着具に挿通させ、この状態で上記第２の仮設内ケーブルの他端部を引き出すことにより上記両仮設内ケーブルに緊張力を導入する、ことを特徴とする仮設内ケーブルの緊張定着方法。
【請求項２】
上記床版上における上記定着具の上記直列方向両側近傍部位に、上記各仮設内ケーブルの他端部を上記定着具に案内するための案内治具を配置しておく、ことを特徴とする請求項１記載の仮設内ケーブルの緊張定着方法。
【請求項３】
上記各案内治具として、上記各仮設内ケーブルの他端部を下方から支持する斜面状案内部と、上記各仮設内ケーブルの他端部の横ずれを防止するための凹溝状案内部とを備えたものを用いる、ことを特徴とする請求項２記載の仮設内ケーブルの緊張定着方法。
【請求項４】
上記床版内における上記各仮設内ケーブルの他端部近傍部位に、上記緊張力導入の際に上記各仮設内ケーブルに作用する揚力に抵抗するための補強筋を配置しておく、ことを特徴とする請求項１〜３いずれか記載の仮設内ケーブルの緊張定着方法。
【発明の詳細な説明】
【０００１】
【発明の属する技術分野】
本願発明は、ＰＣ橋（プレストレストコンクリート橋）を架設する際に用いられる仮設内ケーブルの緊張定着方法に関するものである。
【０００２】
【従来の技術】
ＰＣ橋を架設する際、その架設時にのみ緊張力を導入して架設完了時には緊張力を解放する、いわゆる仮設内ケーブルが用いられることがある。
【０００３】
この仮設内ケーブルの緊張定着は、架設途中のＰＣ橋の床版内に仮設内ケーブルを配置し、その一端部を床版の小口に固定した後、この仮設内ケーブルに緊張力を導入してその他端部を床版の所定位置に定着するようになっている。
【０００４】
その際、ケーブル容量が大きい場合には、図７および８（ａ）に示すように、床版１０２上にコンクリート製の定着用突起部１０２ａを構築しておき、直列に配置された１対の仮設内ケーブル１０４の向かい合う端部１０４ａを定着用突起部１０２ａに襷掛けにして緊張定着を行い、架設完了後に定着用突起部１０２ａをはつり取る方式、あるいは、図８（ｂ）に示すように、床版１０２上にコンクリート製の定着用突起部材１０６を複数のＰＣ鋼材１０８によって固定しておき、直列に配置された１対の仮設内ケーブル１０４の向かい合う端部１０４ａを定着用突起部１０２ａに襷掛けにして緊張定着を行い、架設完了後に定着用突起部材１０６を撤去する方式が採用されている。
【０００５】
【発明が解決しようとする課題】
しかしながら、図８（ａ）に示す方式は、定着用突起部１０２ａの配筋（鉄筋１１０等の配置）、打設および架設完了後のはつり作業に多くの手間と費用が掛かってしまい、しかも本体構造物に望ましくないダメージを与えてしまう場合が多い、という問題がある。また、図８（ｂ）に示す方式においても、定着用突起部材１０６の固定およびその撤去作業に多くの手間と費用が掛かってしまう、という問題がある。
【０００６】
本願発明は、このような事情に鑑みてなされたものであって、ＰＣ橋を架設する際に用いられる仮設内ケーブルの緊張定着および解放撤去を簡易かつ安価に行うことができる仮設内ケーブルの緊張定着方法を提供することを目的とするものである。
【０００７】
【課題を解決するための手段】
本願発明は、可動式の定着具を用いて、直列に配置された１対の仮設内ケーブルに対する緊張定着を一挙に行うようにすることにより、上記目的達成を図るようにしたものである。
【０００８】
すなわち、本願発明に係る仮設内ケーブルの緊張定着方法は、
架設途中のＰＣ橋の床版内に仮設内ケーブルを配置するとともに、この仮設内ケーブルの一端部を上記床版の小口に固定した後、この仮設内ケーブルに緊張力を導入して該仮設内ケーブルの他端部を上記床版の所定位置に定着する、仮設内ケーブルの緊張定着方法において、
上記床版内に第１および第２の仮設内ケーブルを直列に配置するとともに、これら各仮設内ケーブルにおける直列方向両側の一端部を上記床版の小口に各々固定した後、上記第１の仮設内ケーブルの他端部を上記床版上へ曲げ上げて可動式の定着具に挿通固定するとともに上記第２の仮設内ケーブルの他端部を上記床版上へ曲げ上げて上記定着具に挿通させ、この状態で上記第２の仮設内ケーブルの他端部を引き出すことにより上記両仮設内ケーブルに緊張力を導入する、ことを特徴とするものである。
【０００９】
上記「床版」は、上床版であってもよいし、下床版であってもよい。
【００１０】
上記「定着具」は、各仮設内ケーブルを互いに略反対方向に挿通させるように構成され、かつ、緊張力導入の際、床版上において変位し得るように構成されたものであれば、その形状、材質等の具体的構成は特に限定されるものではない。
【００１１】
【発明の作用効果】
上記構成に示すように、本願発明に係る仮設内ケーブルの緊張定着方法は、床版内に直列に配置された第１および第２の仮設内ケーブルにおける直列方向両側の各一端部を床版の小口に各々固定した後、第１の仮設内ケーブルの他端部を床版上へ曲げ上げて可動式の定着具に挿通固定するとともに第２の仮設内ケーブルの他端部を床版上へ曲げ上げて上記定着具に挿通させ、この状態で第２の仮設内ケーブルの他端部を引き出すことにより両仮設内ケーブルに緊張力を導入するようになっているので、次のような作用効果を得ることができる。
【００１２】
すなわち、従来のように、床版上にコンクリート製の定着用突起部を構築したり、コンクリート製の定着用突起部材を固定する必要がなくなるので、定着用突起部の配筋、打設およびはつり作業、あるいは定着用突起部材の固定および撤去作業も必要なくなる。したがって、そのための手間と費用が不要となり、これにより工期短縮およびコストダウンを図ることができる。
【００１３】
また、直列に配置された１対の仮設内ケーブルに対する緊張定着を一挙に行うことができるので、従来のように各仮設内ケーブル毎に緊張定着を行う場合に比して作業工数を半減させることができ、この点においても工期短縮およびコストダウンを図ることができる。
【００１４】
このように本願発明によれば、ＰＣ橋を架設する際に用いられる仮設内ケーブルの緊張定着および解放撤去を簡易かつ安価に行うことができる。
【００１５】
しかも本願発明においては、可動式の定着具を用いているので、従来のように定着用突起部のはつり作業等によって本体構造物に望ましくないダメージを与えてしまうといったおそれをなくすことができる。
【００１６】
上記構成において、床版上における定着具の直列方向両側近傍部位に、各仮設内ケーブルの他端部を定着具に案内するための案内治具を配置しておくようにすれば、各仮設内ケーブルおよび定着具に無理な外力が作用しないようにすることができ、これにより緊張定着作業をスムーズに行うことができる。しかも、これら各案内治具は、他の現場での緊張定着作業を行う際にも転用することが可能である。
【００１７】
その際、これら各案内治具として、各仮設内ケーブルの他端部を下方から支持する斜面状案内部と、各仮設内ケーブルの他端部の横ずれを防止するための凹溝状案内部とを備えたものを用いるようにすれば、緊張定着作業を一層スムーズに行うことができる。
【００１８】
また上記構成において、床版内における各仮設内ケーブルの他端部近傍部位に、上記緊張力導入の際に各仮設内ケーブルに作用する揚力に抵抗するための補強筋を配置しておくようにすれば、仮設内ケーブルの緊張定着の際に床版が破損してしまうおそれをなくすことができる。
【００１９】
【発明の実施の形態】
以下、図面を用いて、本願発明の実施の形態について説明する。
【００２０】
図１は、本願発明の一実施形態に係る仮設内ケーブルの緊張定着方法の適用対象となるＰＣ橋を示す側面図であり、図２は、図１のＩＩ部詳細断面図であり、図３は、図２の要部詳細図である。
【００２１】
図１に示すＰＣ橋１０は、架設途中（主桁の片持ち張出し施工中）のＰＣ橋であって、その上床版１２内に直列に配置された１対の仮設内ケーブル１４、１６が緊張定着された状態を示す図である。
【００２２】
これら仮設内ケーブル１４、１６の緊張定着作業は、次のようにして行われるようになっている。
【００２３】
すなわち、まず、上床版１２内に両仮設内ケーブル１４、１６を橋軸方向に沿って直列に配置する。これら各仮設内ケーブル１４、１６の配置は、上床版１２内に埋設されたシース１８に各仮設内ケーブル１４、１６を挿通させることにより行う。なお、これら各仮設内ケーブル１４、１６は、複数本（６本）のＰＣ鋼より線で構成されている。
【００２４】
そして、これら各仮設内ケーブル１４、１６における直列方向両側（橋軸方向両側）の一端部１４ａ、１６ａを、上床版１２の小口１２ａ、１２ｂに各々クサビ固定する。一方、各仮設内ケーブル１４、１６の他端部１４ｂ、１６ｂを曲げ上げて、これらを上床版１２のケーブル突出口１２ｃ、１２ｄから斜め上方へ突出させる。
【００２５】
その後、一方の仮設内ケーブル１４（第１の仮設内ケーブル）の他端部１４ｂを上床版１２上において定着具２０に挿通固定（クサビ固定）するとともに、他方の仮設内ケーブル１６（第２の仮設内ケーブル）の他端部１６ｂを定着具２０に挿通させる。
【００２６】
この状態で、仮設内ケーブル１６の他端部１６ｂを、定着具２０にＲチェア２２を介して取り付けられたジャッキ２４によって引き出すことにより、両仮設内ケーブル１４、１６に緊張力を導入する。そしてこの緊張力導入が完了した後、仮設内ケーブル１６の他端部１６ｂを定着具２０にクサビ固定し、Ｒチェア２２およびジャッキ２４を撤去し、緊張定着作業を完了させる。
【００２７】
上記定着具２０は、可動式の鋼製定着具であって、いわゆる襷掛け定着具として構成されている。すなわち、この定着具２０は、箱状に形成されており、各仮設内ケーブル１４、１６を互いに反対方向に挿通させ、その両端面で各仮設内ケーブル１４、１６の他端部１４ｂ、１６ｂを定着するようになっている。
【００２８】
この定着具２０は可動式であるので、緊張力導入に伴って橋軸方向に変位する。すなわち、図３において、仮設内ケーブル１４の緊張によって左方向へ変位しようとし、仮設内ケーブル１６の引出しによっても左方向へ変位しようとする。このため最終的には、元の位置（２点鎖線で示す位置）から左方向へ所定量変位した位置で緊張力導入が完了する。
【００２９】
このようにして緊張定着された両仮設内ケーブル１４、１６は、ＰＣ橋１０の架設が完了した後、緊張力が解放され、上床版１２内から撤去される。その際、緊張力の解放は、Ｒチェア２２およびジャッキ２４を再び定着具２０に取り付けることによって行う。
【００３０】
本実施形態においては、上記緊張定着作業を行う際、上床版１２上における定着具２０の橋軸方向両側に、各仮設内ケーブル１４、１６の他端部１４ｂ、１６ｂを定着具２０に案内するための案内治具２６を配置しておくようになっている。
【００３１】
これら各案内治具２６は、鋼製の治具であって、図４に単品でも示すように、上床版１２内から上床版１２上へ斜めに突出する各仮設内ケーブル１４、１６の他端部１４ｂ、１６ｂを下方から支持する斜面状案内部２６ａと、各仮設内ケーブル１４、１６の他端部１４ｂ、１６ｂの横ずれを防止するための凹溝状案内部２６ｂとを備えた構成となっている。
【００３２】
斜面状案内部２６ａは、凸曲面状に形成されており、これにより各仮設内ケーブル１４、１６を所定長にわたって支持するようになっている。また、凹溝状案内部２６ｂは、斜面状案内部２６ａの斜面上端部においてＵ字状に形成されている。
【００３３】
また本実施形態においては、図２に示すように、上床版１２を打設する際、該上床版１２内における各仮設内ケーブル１４、１６の他端部１４ｂ、１６ｂの近傍部位（具体的には、上床版１２のケーブル突出口１２ｃ、１２ｄの橋軸方向両側近傍部位）に、上記緊張力導入の際に各仮設内ケーブル１４、１６に作用する揚力に抵抗するための補強筋２８を配置しておくようになっている。この補強筋２８は、各ケーブル突出口１２ｃ、１２ｄに対して複数個ずつ（３個ずつ）配置されている。
【００３４】
これら各補強筋２８は、図２のＶａ部詳細図である図５（ａ）およびこの図５（ａ）のＶｂ−Ｖｂ　断面図である図５（ｂ）に示すように、シース１８を跨ぐように形成された逆Ｕ字状部２８ａと、この逆Ｕ字状部２８ａの下端部からケーブル突出口１２ｄ（１２ｃ）側へ向けて水平方向に平行に延びる１対の直線部２８ｂとからなっている。
【００３５】
以上詳述したように、本実施形態においては、上床版１２内に橋軸方向に沿って直列に配置された１対の仮設内ケーブル１４、１６における橋軸方向両側の各一端部１４ａ、１６ａを、上床版１２の小口１２ａ、１２ｂに各々固定した後、一方の仮設内ケーブル１４の他端部１４ｂを上床版１２上へ曲げ上げて可動式の定着具２０に挿通固定するとともに、他方の仮設内ケーブル１６の他端部１６ｂを上床版１２上へ曲げ上げて定着具２０に挿通させ、この状態で仮設内ケーブル１６の他端部１６ｂを引き出すことにより両仮設内ケーブル１４、１６に緊張力を導入するようになっているので、次のような作用効果を得ることができる。
【００３６】
すなわち、従来のように、床版上にコンクリート製の定着用突起部を構築したり、コンクリート製の定着用突起部材を固定する必要がなくなるので、定着用突起部の配筋、打設およびはつり作業、あるいは定着用突起部材の固定および撤去作業も必要なくなる。したがって、そのための手間と費用が不要となり、これにより工期短縮およびコストダウンを図ることができる。
【００３７】
また、直列に配置された１対の仮設内ケーブル１４、１６に対する緊張定着を一挙に行うことができるので、従来のように各仮設内ケーブル毎に緊張定着を行う場合に比して作業工数を半減させることができ、この点においても工期短縮およびコストダウンを図ることができる。
【００３８】
このように本実施形態によれば、ＰＣ橋１０を架設する際に用いられる仮設内ケーブル１４、１６の緊張定着および解放撤去を簡易かつ安価に行うことができる。
【００３９】
しかも本実施形態においては、可動式の定着具２０を用いているので、従来のように定着用突起部のはつり作業等によって本体構造物に望ましくないダメージを与えてしまうといったおそれをなくすことができる。
【００４０】
また本実施形態においては、上床版１２上における定着具２０の橋軸方向両側近傍部位に、各仮設内ケーブル１４、１６の他端部１４ｂ、１６ｂを定着具２０に案内するための案内治具２６を配置しておくようになっているので、各仮設内ケーブル１４、１６および定着具２０に無理な外力が作用しないようにすることができ、これにより緊張定着作業をスムーズに行うことができる。しかも、これら各案内治具２６は、他の現場での緊張定着作業を行う際にも転用することが可能である。
【００４１】
その際、本実施形態においては、これら各案内治具２６として、上床版１２内から上床版１２上へ斜めに突出する各仮設内ケーブル１４、１６の他端部１４ｂ、１６ｂを下方から支持する斜面状案内部２６ａと、各仮設内ケーブル１４、１６の他端部１４ｂ、１６ｂの横ずれを防止するための凹溝状案内部２６ｂとを備えたものを用いているので、緊張定着作業を一層スムーズに行うことができる。
【００４２】
また本実施形態においては、上床版１２内におけるケーブル突出口１２ｃ、１２ｄの橋軸方向両側近傍部位に、上記緊張力導入の際に各仮設内ケーブル１４、１６に作用する揚力に抵抗するための補強筋２８を配置しておくようになっているので、仮設内ケーブル１４、１６の緊張定着の際に上床版１２が破損してしまうおそれをなくすことができる。なお、本実施形態においては、各仮設内ケーブル１４、１６毎に３個ずつ配置するものとして説明したが、４個以上ずつ配置するようにしてもよいし、２個以下ずつ配置するようにしてもよい。
【００４３】
ところで本実施形態においては、主桁の片持ち張出し施工によるＰＣ橋１０の架設途中において、その上床版１２内に配置される仮設内ケーブル１４、１６の緊張定着を行う場合について説明したが、これ以外の場合にも本実施形態に係る仮設内ケーブルの緊張定着方法を適用することが可能である。
【００４４】
例えば、図６に示すように、押出し工法によるＰＣ橋４０の架設途中において、その下床版４２内に配置される１対の仮設内ケーブル１４、１６を緊張定着することも可能である。
【００４５】
この場合、同図（ａ）に示すように、先端部に手延ガーダ４４を装着した状態で図示矢印方向へ押し出す際には、仮設内ケーブル１４、１６を緊張定着した状態に維持しておき、同図（ｂ）に示すように、押出しが完了した後、１対の仮設内ケーブル１４、１６の緊張力を解放し、これらを下床版４２内から撤去するようにすればよい。
【図面の簡単な説明】
【図１】本願発明の一実施形態に係る仮設内ケーブルの緊張定着方法の適用対象となるＰＣ橋を示す側面図
【図２】図１のＩＩ部詳細断面図
【図３】図２の要部詳細図
【図４】上記実施形態に使用される案内治具を単品で示す図
【図５】図２のＶａ部詳細図（ａ）およびそのＶｂ−Ｖｂ　断面図（ｂ）
【図６】上記実施形態の変形例を示す、図１と同様の図
【図７】従来例を示す、図１と同様の図
【図８】上記従来例を示す、図７のＶＩＩＩａ　部詳細図（ａ）、および他の従来例を示す（ａ）と同様の図（ｂ）
【符号の説明】
１０　ＰＣ橋
１２　上床版（床版）
１２ａ、１２ｂ　小口
１２ｃ、１２ｄ　ケーブル突出口
１４　仮設内ケーブル（第１の仮設内ケーブル）
１４ａ、１６ａ　一端部
１４ｂ、１６ｂ　他端部
１６　仮設内ケーブル（第２の仮設内ケーブル）
１８　シース
２０　定着具
２２　Ｒチェア
２４　ジャッキ
２６　案内治具
２６ａ　斜面状案内部
２６ｂ　凹溝状案内部
２８　補強筋
２８ａ　逆Ｕ字状部
２８ｂ　直線部
４０　ＰＣ橋
４２　下床版（床版）
４４　手延ガーダ
【図１】
2004068332.tif 000003
【図２】
2004068332.tif 000004
【図３】
2004068332.tif 000005
【図４】
2004068332.tif 000006
【図５】
2004068332.tif 000007
【図６】
2004068332.tif 000008
【図７】
2004068332.tif 000009
【図８】
2004068332.tif 000010